(57)【要約】      （修正有）【課題】機能に関連付けられた機能アイコンを選択可能に表示すると共に、機能アイコンに、該機能アイコンにおける選択情報又は選択情報を示すアイコンを関連付けて表示させる表示装置を提供する。【解決手段】表示装置は、表示部及びタッチセンサー部を有するタッチパネルと、選択受付部と、選択情報記憶部と、表示制御部と、を備える。表示制御部は、機能リスト画面において、選択情報記憶部に記憶された選択情報に基づいて、複数の機能アイコンそれぞれについて、選択情報又は選択情報の内容を示す情報アイコンを関連付けて表示させるよう表示部を制御する。【選択図】図６
2015158920.tif 000002
【特許請求の範囲】
【請求項１】
接触物によるジェスチャーを受け付け可能なタッチパネルであって、
各機能に関連付けられた複数の機能アイコンが表示された選択画面を表示可能な表示面を有する表示部と、
前記表示面側に配置され、前記接触物における接触位置及び／又は接触領域を含むジェスチャー情報を検出すると共に、検出したジェスチャー情報を出力するタッチセンサー部と、を有するタッチパネルと、
前記タッチパネルにより出力されたジェスチャー情報に基づいて、前記複数の機能アイコンうち所定の機能アイコンの選択を受け付ける選択受付部と、
前記複数の機能アイコンそれぞれについて、前記選択受付部により選択が受け付けられた最新の日時の情報である選択情報を記憶する選択情報記憶部と、
前記選択画面において、前記選択情報記憶部に記憶された前記選択情報に基づいて、前記複数の機能アイコンそれぞれについて、前記選択情報又は前記選択情報の内容を示す情報アイコンを関連付けて表示させるよう前記表示部を制御する表示制御部とを備え、
前記表示制御部は、
前記選択受付部により、所定の機能アイコンの選択と、該所定の機能アイコンに対するジェスチャーが第２ジェスチャーであることが認識された場合、
前記選択画面において、前記選択情報記憶部に記憶された前記選択情報に基づいて、前記複数の機能アイコンそれぞれについて、前記選択情報又は前記選択情報の内容を示す情報アイコンを関連付けて表示させ、前記複数の機能アイコンのうち、前記最新の日時情報により特定される日時が、前記選択された第１選択機能アイコンにおける前記最新の日時情報により特定される日時以前である機能アイコンの全部又は一部に対応する選択情報又は情報アイコンの表示態様を変更させるよう前記表示部を制御する
表示装置。
【請求項２】
前記表示制御部は、
前記選択情報又は前記情報アイコンを、対応する機能アイコンの一部に重ねて表示させる
請求項１に記載の表示装置。
【請求項３】
前記選択受付部は、
前記ジェスチャー情報に基づいてジェスチャーの態様を認識可能であると共に、第１ジェスチャーと、前記第２ジェスチャーとを認識可能に構成され、
前記表示制御部は、
前記選択受付部により、所定の機能アイコンの選択、及び該所定の機能アイコンに対するジェスチャーが前記第１ジェスチャーであることが認識された場合、前記選択画面において、該所定の機能アイコンを削除するよう前記表示部を制御する
請求項１又は２に記載の表示装置。
【請求項４】
前記第１ジェスチャーは、ピンチインであり、
前記第２ジェスチャーは、ピンチインを途中で停止すると共に、停止状態で所定時間維持したジェスチャーである
請求項３に記載の表示装置。
【請求項５】
前記表示制御部は、
前記表示部により前記選択情報又は前記情報アイコンの表示態様が変更された表示状態において、前記選択受付部により機能アイコンが選択された場合、
前記選択画面において、前記第１選択機能アイコン及び前記選択された機能アイコンである第２選択機能アイコンを削除するよう前記表示部を制御可能に構成される
請求項１に記載の表示装置。
【請求項６】
前記表示制御部は、機能アイコンを自動削除可能な自動削除モードを有し、
前記自動削除モードである場合、前記選択画面において、表示態様が変更された前記選択情報又は情報アイコンに対応する機能アイコンを削除させるよう前記表示部を制御する請求項１に記載の表示装置。
【請求項７】
前記表示制御部は、
前記選択画面において、１又は複数の機能アイコンを削除させるよう前記表示部を制御した場合、削除されなかった機能アイコンの配置を自動的に変更するよう前記表示部を制御する
請求項５又は６に記載の表示装置。
【請求項８】
前記表示制御部は、
前記選択画面において、１又は複数の機能アイコンを削除させるよう前記表示部を制御した場合、
前記選択画面において、削除され非表示となった機能アイコンが存在することを示す非表示報知アイコンを表示させるよう前記表示部を制御する
請求項５から７のいずれかに記載の表示装置。
【請求項９】
前記表示制御部は、
複数回にわたり、１又は複数の機能アイコンを削除させるよう前記表示部を制御した場合、
前記選択画面において、複数の非表示報知アイコンを表示させるよう前記表示部を制御する
請求項８に記載の表示装置。
【請求項１０】
前記表示制御部は、
前記選択受付部により、前記非表示報知アイコンの選択が受け付けられた場合、
前記選択画面において、前記削除された機能アイコンを表示させるよう前記表示部を制御する
請求項８又は９に記載の表示装置。
【請求項１１】
請求項１から１０のいずれかに記載の表示装置を備える
画像形成装置。
【請求項１２】
接触物によるジェスチャーを受け付け可能なタッチパネルであって、各機能に関連付けられた複数の機能アイコンが表示された選択画面を表示可能な表示面を有する表示部と、前記表示面側に配置され、前記接触物における接触位置及び／又は接触領域を含むジェスチャー情報を検出すると共に、検出したジェスチャー情報を出力するタッチセンサー部と、を有するタッチパネルを備える表示装置における表示制御方法であって、
表示装置が、前記タッチパネルにより出力されたジェスチャー情報に基づいて、前記複数の機能アイコンうち所定の機能アイコンの選択を受け付ける選択受付工程と、
表示装置が、前記複数の機能アイコンそれぞれについて、前記選択受付工程において選択が受け付けられた最新の日時の情報である選択情報を記憶する選択情報記憶工程と、
表示装置が、前記選択画面において、前記選択情報記憶工程において記憶された前記選択情報に基づいて、前記複数の機能アイコンそれぞれについて、前記選択情報又は前記選択情報の内容を示す情報アイコンを関連付けて表示させるよう前記表示部を制御する表示制御工程と、
前記選択受付工程により、所定の機能アイコンの選択と、該所定の機能アイコンに対するジェスチャーが第２ジェスチャーであることが認識された場合、
前記選択画面において、前記選択情報記憶工程により記憶された前記選択情報に基づいて、前記複数の機能アイコンそれぞれについて、前記選択情報又は前記選択情報の内容を示す情報アイコンを関連付けて表示させ、前記複数の機能アイコンのうち、前記最新の日時情報により特定される日時が、前記選択された第１選択機能アイコンにおける前記最新の日時情報により特定される日時以前である機能アイコンの全部又は一部に対応する選択情報又は情報アイコンの表示態様を変更させる
表示制御方法。
【請求項１３】
請求項１２に記載の表示制御方法を実行させるプログラム。
【発明の詳細な説明】
【技術分野】
【０００１】
本発明は、表示装置、画像形成装置、表示制御方法、及び表示制御方法を実行させるためのプログラムに関する。
【背景技術】
【０００２】
従来、タッチパネルを備え、タッチパネルに複数の機能それぞれに対応する機能アイコンを表示すると共に、タッチパネルを介して所定の機能アイコンが選択された場合、選択されたアイコンに関連付けられた機能が利用可能になるよう構成された画像形成装置が存在する。
【０００３】
ここで、近年、多機能化が進むなか、表示すべきアイコンが増加している。表示部の表示面積は制限されているため、表示部に表示できる機能アイコンの数は制限される。
【０００４】
これに対し、非表示指定されたテキスト部分を表示／非表示に切り替え可能な学習装置に関する技術が開示されている（例えば、特許文献１参照）。
【先行技術文献】
【特許文献】
【０００５】
【特許文献１】特開２００９−６９５１０号公報
【発明の概要】
【発明が解決しようとする課題】
【０００６】
しかし、特許文献１の開示技術において、学習装置は、タッチパネルを利用して簡易に非表示領域を指定することが可能に構成されるが、何を非表示にするかについて参考となる情報を表示するものではない。
【０００７】
本発明は、機能に関連付けられた機能アイコンを選択可能に表示すると共に、機能アイコンに、該機能アイコンにおける選択情報又は選択情報を示すアイコンを関連付けて表示させる表示装置を提供することを目的とする。
また、本発明は、上記表示装置を備える画像形成装置を提供することを他の目的とする。
また、本発明は、表示装置における表示制御方法を提供することを目的とする。
また、本発明は、上記表示方法を実行させるプログラムを提供することを目的とする。
【課題を解決するための手段】
【０００８】
表示装置は、タッチパネルと、選択受付部と、選択情報記憶部と、表示制御部と、を備える。
タッチパネルは、接触物によるジェスチャーを受け付け可能である。
また、タッチパネルは、各機能に関連付けられた複数の機能アイコンが表示された選択画面を表示可能な表示面を有する表示部と、前記表示面側に配置され、前記接触物における接触位置及び／又は接触領域を含むジェスチャー情報を検出すると共に、検出したジェスチャー情報を出力するタッチセンサー部と、を有する。
選択受付部は、前記タッチパネルにより出力されたジェスチャー情報に基づいて、前記複数の機能アイコンうち所定の機能アイコンの選択を受け付ける。
選択情報記憶部は、前記複数の機能アイコンそれぞれについて、前記選択受付部により選択が受け付けられた日時及び／又は回数の情報である選択情報を記憶する。
表示制御部は、前記選択画面において、前記選択情報記憶部に記憶された前記選択情報に基づいて、前記複数の機能アイコンそれぞれについて、前記選択情報又は前記選択情報の内容を示す情報アイコンを関連付けて表示させるよう前記表示部を制御する。
【０００９】
画像形成装置は、上述の表示装置を備える。
【００１０】
表示制御方法は、接触物によるジェスチャーを受け付け可能なタッチパネルであって、各機能に関連付けられた複数の機能アイコンが表示された選択画面を表示可能な表示面を有する表示部と、前記表示面側に配置され、前記接触物における接触位置及び／又は接触領域を含むジェスチャー情報を検出すると共に、検出したジェスチャー情報を出力するタッチセンサー部と、を有するタッチパネルを備える表示装置における表示制御方法である。
表示制御方法は、選択受付工程と、選択情報記憶工程と、表示制御工程と、を含む。
選択受付工程において、表示装置が、前記タッチパネルにより出力されたジェスチャー情報に基づいて、前記複数の機能アイコンうち所定の機能アイコンの選択を受け付ける。
選択情報記憶工程において、表示装置が、前記複数の機能アイコンそれぞれについて、前記選択受付工程において選択が受け付けられた日時及び／又は回数の情報である選択情報を記憶する。
表示制御工程において、表示装置が、前記選択画面において、前記選択情報記憶工程において記憶された前記選択情報に基づいて、前記複数の機能アイコンそれぞれについて、前記選択情報又は前記選択情報の内容を示す情報アイコンを関連付けて表示させるよう前記表示部を制御する。
【００１１】
プログラムは、上述の表示制御方法を実行させる。
【発明の効果】
【００１２】
本発明によれば、機能に関連付けられた機能アイコンを選択可能に表示すると共に、機能アイコンに、該機能アイコンにおける選択情報又は選択情報を示すアイコンを関連付けて表示させる表示装置を提供することができる。
また、本発明によれば、上記表示装置を備える画像形成装置を提供することができる。
また、本発明によれば、表示装置における表示制御方法を提供することができる。
また、本発明によれば、上記表示方法を実行させるプログラムを提供することができる。
【図面の簡単な説明】
【００１３】
【図１】画像形成装置の一実施形態に係る複合機の全体構成を説明するための図である。
【図２】タッチパネル１００を含む操作部を説明するための図である。
【図３】複合機の機能構成を示すブロック図である。
【図４】複合機の動作について説明するためのフローチャートである。
【図５】タッチパネルに表示された選択画面を説明するための図である。
【図６】タッチパネルに表示された選択画面であって、情報アイコンが表示された選択画面を説明するための図である。
【図７】タッチパネルに表示された選択画面であって、所定の機能アイコンが削除された後の選択画面を説明するための図である。
【図８】タッチパネルに表示された選択画面であって、所定の機能アイコンが削除された後の選択画面を説明するための図である。
【発明を実施するための形態】
【００１４】
以下、図面を参照して、本発明の画像形成装置の一実施形態に係る複合機について説明する。まず、図１及び図２により、複合機１の全体構成について説明する。図１は、画像形成装置の一実施形態に係る複合機１の全体構成を説明するための図である。図２は、タッチパネル１００を含む操作部を説明するための図である。
【００１５】
図１に示すように、本実施形態の複合機１は、原稿搬送部１０と、原稿読取部２０と、用紙搬送部３０と、画像形成部４０と、転写部５０と、定着部６０と、操作部７０と、を備える。
原稿搬送部１０は、ＡＤＦ（Ａｕｔｏｍａｔｉｃ  Ｄｏｃｕｍｅｎｔ  Ｆｅｅｄｅｒ）であり、原稿載置部１１と、第１送りローラー１２と、ガイド１３と、タイミングローラー対１４と、原稿排出部１５とを備える。
第１送りローラー１２は、原稿載置部１１に載置された原稿Ｇを１枚ずつ順にタイミングローラー対１４に供給する。
タイミングローラー対１４は、原稿読取部２０が原稿Ｇの画像を読み取るタイミングと、原稿Ｇの画像が原稿読取部２０によって読み取られる位置（ガイド１３が配置されている位置）に原稿Ｇを供給するタイミングとを合わせるために、原稿Ｇの搬送又は原稿Ｇの搬送停止を行う。
ガイド１３は、搬送された原稿Ｇを後述する第１読取面２１ａに導く。原稿排出部１５は、原稿読取部２０によって画像が読み取られた（ガイド１３を通過した）原稿Ｇを複合機本体２の外部に排出する。
原稿排出部１５における複合機本体２の外側には、原稿集積部１６が形成される。原稿集積部１６には、原稿排出部１５から排出された原稿Ｇが積層して集積される。
【００１６】
原稿読取部２０は、第１読取面２１ａと、第２読取面２２ａとを備える。
第１読取面２１ａは、ガイド１３に対向して配置された第１コンタクトガラス２１の上面に沿って形成され、原稿Ｇの画像を読み取る面となる。
第２読取面２２ａは、第１読取面２１ａに隣接して（図１に示す場合では、第１読取面２１ａの右側の大部分に亘って）配置される。第２読取面２２ａは、原稿搬送部１０を用いずに原稿Ｇの画像を読み取る場合に用いられる。第２読取面２２ａは、原稿Ｇが載置される第２コンタクトガラス２２の上面に沿って形成され、原稿Ｇの画像を読み取る面となる。
【００１７】
また、原稿読取部２０は、照明部２３と、第１ミラー２４と、第２ミラー２５と、第３ミラー２６と、結像レンズ２７と、撮像部２８とを複合機本体２の内部に備える。
照明部２３と第１ミラー２４とは、それぞれ副走査方向Ｘに移動する。
第２ミラー２５と第３ミラー２６とは、図１において照明部２３及び第１ミラー２４の左側に配置される。更に、第２ミラー２５及び第３ミラー２６は、第１ミラー２４と、第２ミラー２５と、第３ミラー２６と、結像レンズ２７とを介した第１読取面２１ａ又は第２読取面２２ａから撮像部２８までの距離（光路長）を一定に保ちつつ、それぞれ副走査方向Ｘに移動する。
【００１８】
照明部２３は、原稿Ｇに光を照射する光源である。
第１ミラー２４、第２ミラー２５及び第３ミラー２６は、光路長を一定に保ちつつ、原稿Ｇによって反射された光を結像レンズ２７に導くためのミラーである。
結像レンズ２７は、第３ミラー２６から入射した光を撮像部２８に結像させる。
撮像部２８は、入射された光を電気信号に変換することにより、結像された光像に基づいて画像データーを得るための撮像素子であり、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサーである。
【００１９】
用紙搬送部３０は、第２送りローラー３１と、第３送りローラー３２と、レジストローラー対３３と、用紙排出部３４とを備える。
第２送りローラー３１は、給紙カセット３６に収容される用紙Ｔ（被転写材）を転写部５０に供給する。
第３送りローラー３２は、手差しトレイ３７に載置される用紙Ｔ（被転写材）を転写部５０に供給する。レジストローラー対３３は、転写部５０にトナー画像が到達するタイミングと、転写部５０に用紙Ｔを供給するタイミングとを合わせるために、用紙Ｔの搬送又は用紙Ｔの搬送停止を行う。また、レジストローラー対３３は、用紙Ｔのスキュー（斜め給紙）補正を行う。用紙排出部３４は、トナー画像が定着された用紙Ｔを複合機本体２の外部に排出する。
用紙排出部３４における複合機本体２の外側には、排紙集積部３５が形成される。排紙集積部３５には、用紙排出部３４から排出された用紙Ｔが積層して集積される。
【００２０】
画像形成部４０は、トナー画像を形成するためのものであり、感光体ドラム４１と、帯電部４２と、レーザースキャナーユニット４３と、現像器４４と、クリーニング部４５と、トナーカートリッジ４６と、１次転写ローラー４７と、中間転写ベルト４８と、対向ローラー４９とを備える。
感光体ドラム４１（４１ａ，４１ｂ，４１ｃ，４１ｄ）は、ブラック、シアン、マゼンタ及びイエローそれぞれのトナー画像を形成するために、感光体又は像担持体として機能する。各感光体ドラム４１ａ，４１ｂ，４１ｃ，４１ｄの周囲には、感光体ドラム４１の回転方向に沿って上流側から下流側へ順に、帯電部４２と、レーザースキャナーユニット４３と、現像器４４と、クリーニング部４５とが配置される。
帯電部４２は、感光体ドラム４１の表面を帯電させる。レーザースキャナーユニット４３は、感光体ドラム４１の表面から離れて配置され、原稿読取部２０によって読み取られた原稿Ｇに関する画像データーに基づいて感光体ドラム４１の表面を走査露光する。これにより、感光体ドラム４１の表面には、露光された部分の電荷が除去されて静電潜像が形成される。現像器４４は、感光体ドラム４１の表面に形成された静電潜像にトナーを付着させてトナー画像を形成する。
クリーニング部４５は、除電器（図示せず）によって感光体ドラム４１の表面が除電された後のその表面に残るトナー等を除去する。
トナーカートリッジ４６は、現像器４４に供給される各色のトナーを収容する。トナーカートリッジ４６と現像器４４とは、トナー供給路（図示せず）により接続されている。
【００２１】
１次転写ローラー４７（４７ａ，４７ｂ，４７ｃ，４７ｄ）は、中間転写ベルト４８における各感光体ドラム４１ａ，４１ｂ，４１ｃ，４１ｄとは反対側にそれぞれ配置される。
中間転写ベルト４８は、画像形成部４０及び転写部５０を通過するベルトである。中間転写ベルト４８の一部分は、各感光体ドラム４１ａ，４１ｂ，４１ｃ，４１ｄと各１次転写ローラー４７ａ，４７ｂ，４７ｃ，４７ｄとの間に挟み込まれ、各感光体ドラム４１ａ，４１ｂ，４１ｃ，４１ｄの表面に形成されたトナー画像が１次転写される。
対向ローラー４９は、環状形状の中間転写ベルト４８の内側に配置され、中間転写ベルト４８を図１に示す矢印Ａ方向に進行させるための駆動ローラーである。
【００２２】
転写部５０は、２次転写ローラー５１を備える。
２次転写ローラー５１は、中間転写ベルト４８に関して対向ローラー４９とは反対側に配置され、中間転写ベルト４８の一部分を対向ローラー４９との間に挟みこむ。更に、２次転写ローラー５１は、中間転写ベルト４８に１次転写されたトナー画像を用紙Ｔに２次転写させる。
【００２３】
定着部６０は、加熱回転体６１と、加圧回転体６２とを備える。
加熱回転体６１と加圧回転体６２とは、トナー画像が２次転写された用紙Ｔを挟み込んで、トナーを溶融及び加圧し、そのトナーを用紙Ｔに定着させる。
【００２４】
図２に示すように、操作部７０は、操作キー群２００と、タッチパネル１００と、タッチペン１１０と、を備える。
操作キー群２００は、テンキー２０４と、スタートキー２０５と、クリアキー２０６と、ストップキー２０７と、リセットキー２０８と、電源キー２０９とを有する。
【００２５】
タッチパネル１００は、接触物によるジェスチャーを受け付け可能に構成される。
タッチパネル１００は、表示部１０１と、タッチセンサー部１０２と、を有する。
【００２６】
表示部１０１は、各機能に関連付けられた複数の機能アイコンが表示された機能リスト画面４００（選択画面）を表示可能な表示面１０１ａを有する。
表示部１０１は、複数の機能アイコン３００ａ〜ｅ、３１０ａ〜ｅ、３２０ａ〜ｅが表示された機能リスト画面４００を表示可能に構成される。
表示部１０１は、後述する表示制御部９５に制御され、機能リスト画面４００における表示内容が変更される。
表示部１０１は、例えば、機能リスト画面４００、４００Ａ、４００Ｂ、４００Ｃを含む複数の画面を表示可能に構成される（図５から図８参照）。
ここで、本実施形態において、アイコンは、ボタン等のソフトキーを含む概念である。
【００２７】
タッチセンサー部１０２は、表示部１０１における表示面１０１ａ側に配置される。
タッチセンサー部１０２は、接触物（例えば、ユーザーの指、タッチペン１１０）における接触位置及び／又は接触領域を含むジェスチャー情報を検出すると共に、検出したジェスチャー情報を出力する。タッチセンサー部１０２は、検出したジェスチャー情報を後述する制御部９０（選択受付部９１）に出力する。
【００２８】
タッチセンサー部１０２は、アナログ抵抗膜方式、静電容量方式を含む任意の方式を採用できる。本実施形態において、タッチセンサー部１０２は、アナログ抵抗膜方式を採用する。
タッチセンサー部１０２は、透光性を有する上部フィルムと下部ガラス基板とがスペーサーを介して重ね合わされて構成される。
上部フィルムと下部ガラス基板との各々の対向面には、ＩＴＯ（Ｉｎｄｉｕｍ  Ｔｉｎ  Ｏｘｉｄｅ）等からなる透明電極層が設けられている。
タッチセンサー部１０２は、上部フィルムがユーザーにより押下されると、当該押下位置（ユーザーが指定した位置、接触した位置、接触した領域）に対応する上部フィルム側の透明電極層と下部ガラス基板側の透明電極層とが接触するよう構成されている。
タッチセンサー部１０２は、上部フィルム又は下部ガラス基板に電圧を印加し、下部ガラス基板又は上部フィルムから押下位置に対応する電圧値を取り出すことにより、当該電圧値に対応する座標値を検出する。
タッチセンサー部１０２は、検出した接触位置及び／又は接触領域の座標値情報をジェスチャー情報として制御部９０（選択受付部９１）に出力する。
【００２９】
続けて、図３により、複合機１の機能構成について説明する。図３は、複合機１の機能構成を示すブロック図である。
複合機１は、上述の通り、原稿搬送部１０と、原稿読取部２０と、用紙搬送部３０と、画像形成部４０と、転写部５０と、定着部６０と、操作部７０と、を備える。なお、上記において説明した構成要素については、適宜その説明を省略する。
【００３０】
記憶部８０は、ハードディスク、半導体メモリー等から構成される。
記憶部８０は、原稿読取部２０によって読み取られた原稿Ｇに基づく画像データーを記憶する。
また、記憶部８０は、複合機１において利用される制御プログラム、及びこの制御プログラムによって利用されるデーター等を記憶する。
【００３１】
また、記憶部８０は、選択情報記憶部８１を含む。
選択情報記憶部８１は、複数の機能アイコンそれぞれについて、後述する選択受付部９１により選択が受け付けられた日時及び／又は回数の情報である選択情報を記憶する。
選択情報は、例えば、最新の日時情報である。日時情報は、年月日情報、月日情報であってもよく、これらに加え時間情報を更に含む情報であってもよい。
また、選択情報は、複数の機能アイコンそれぞれについて、所定期間内に選択が受け付けられた回数の情報であってもよい。
【００３２】
制御部９０は、原稿搬送部１０、原稿読取部２０、用紙搬送部３０、画像形成部４０、転写部５０、定着部６０及び操作部７０を制御する。
原稿載置部１１に載置された原稿Ｇをコピーする場合を示して、制御部９０の機能（動作）の一例を説明する。まず、制御部９０は、操作部７０を構成する上記のスタートキーが操作されたことを示す信号が供給されることにより、スタートキーが操作されたことを検知する。次に、制御部９０は、原稿搬送部１０の第１送りローラー１２を駆動させて原稿Ｇを第１読取面２１ａに供給する。制御部９０は、原稿読取部２０により第１読取面２１ａに供給された原稿Ｇに基づく画像データーを生成させ、その画像データーを記憶部８０に一時記憶する。制御部９０は、記憶部８０に一時記憶された画像データーに基づいて用紙Ｔにトナー画像を形成するために、用紙搬送部３０と、画像形成部４０と、転写部５０と、定着部６０とをそれぞれ制御する。すなわち、制御部９０は、第２送りローラー３１又は第３送りローラー３２を駆動させて、用紙Ｔを転写部５０に搬送させる。また、制御部９０は、画像データーに基づいて色ごとに生成された色画像データーをそれぞれレーザースキャナーユニット４３に供給し、レーザースキャナーユニット４３から照射されるレーザー光により感光体ドラム４１に静電潜像を形成させる。制御部９０は、現像器４４により感光体ドラム４１にトナー画像を形成させ、このトナー画像を中間転写ベルト４８に１次転写させる。制御部９０は、中間転写ベルト４８に１次転写されたトナー画像を２次転写ローラー５１によって用紙Ｔに２次転写させる。制御部９０は、加熱回転体６１が所定の温度に加熱されるよう制御して、その加熱回転体６１により用紙Ｔに２次転写されたトナー画像のトナーを溶融させると共に、加熱回転体６１に圧接される加圧回転体６２よりトナーを用紙Ｔに定着させる。更に、制御部９０は、トナー画像が定着された用紙Ｔを用紙搬送部３０により用紙排出部３４から排出させる。
【００３３】
また、制御部９０は、選択受付部９１と、表示制御部９５とを含む。
選択受付部９１は、タッチパネル１００（タッチセンサー部１０２）により出力されたジェスチャー情報に基づいて、複数の機能アイコンうち所定の機能アイコンの選択を受け付ける。
選択受付部９１は、例えば、タッチパネル１００により出力されたジェスチャー情報に基づいて、接触物の接触位置（領域）と重なる位置に表示された機能アイコンの選択を受け付ける。
ここで、選択受付部９１は、上述の機能アイコンの選択において、ジェスチャーの種類を限定しないよう構成されてもよい。
【００３４】
また、選択受付部９１は、ジェスチャー情報に基づいてジェスチャーの態様を認識可能に構成される。選択受付部９１は、ジェスチャー情報に基づいて、ジェスチャーのパターン及び、ジェスチャーが形成される速度（接触物の移動速度）を認識可能に構成される。
【００３５】
選択受付部９１は、複数パターンのジェスチャーを認識可能に構成される。
選択受付部９１は、例えば、ピンチイン、ピンチアウト、フリック、タップ、ダブルタップ等のジェスチャーを認識可能に構成される。
また、選択受付部９１は、ピンチイン（第１ジェスチャー）と、ピンチインを途中で停止すると共に、停止状態で所定時間維持したジェスチャー（第２ジェスチャー）を認識可能に構成される。
【００３６】
表示制御部９５は、複数の機能アイコンが表示された機能リスト画面（選択画面）において、選択情報記憶部８１に記憶された選択情報に基づいて、複数の機能アイコンそれぞれについて、選択情報又は選択情報の内容を示す情報アイコンを関連付けて表示させるよう表示部１０１を制御する。
表示制御部９５は、例えば、選択情報又は情報アイコンを、対応する機能アイコンの一部に重ねて表示させる。ここで、選択情報は、例えば、最新の日時情報である。
本実施形態において、表示制御部９５は、機能リスト画面（選択画面）において、選択情報としての日時情報を示す情報アイコンを、対応する機能アイコンの一部に重ねて表示させる。更に具体的には、表示制御部９５は、機能リスト画面（選択画面）において、最新の日時情報を示す情報アイコン４００ａ〜ｅ、４１０ａ〜ｅ、４２０ａ〜ｅそれぞれを、対応する複数の機能アイコン３００ａ〜ｅ、３１０ａ〜ｅ、３２０ａ〜ｅの一部に重ねて表示させるよう表示部１０１を制御する（図６参照）。
【００３７】
また、表示制御部９５は、選択受付部９１により、所定の機能アイコンの選択、及び該所定の機能アイコンに対するジェスチャーがピンチイン（第１ジェスチャー）であることが認識された場合、機能リスト画面（選択画面）において、該所定の機能アイコンを削除するよう表示部１０１を制御する。
【００３８】
また、表示制御部９５は、選択受付部９１により、所定の機能アイコンの選択、及び該所定の機能アイコンに対するジェスチャーがピンチインを途中で停止すると共に停止状態で所定時間維持したジェスチャー（第２ジェスチャー）であることが認識された場合、機能リスト画面（選択画面）において、選択情報記憶部８１に記憶された選択情報に基づいて、複数の機能アイコンそれぞれについて、選択情報又は選択情報の内容を示す情報アイコンを関連付けて表示させるよう表示部１０１を制御する。
本実施形態において、表示制御部９５は、選択受付部９１により、所定の機能アイコンの選択、及び該所定の機能アイコンに対するジェスチャーがピンチインを途中で停止すると共に停止状態で所定時間維持したジェスチャー（第２ジェスチャー）であることが認識された場合、機能リスト画面（選択画面）において、選択情報記憶部８１に記憶された選択情報に基づいて、複数の機能アイコン３００ａ〜ｅ、３１０ａ〜ｅ、３２０ａ〜ｅそれぞれについて、最新の日時情報を示す情報アイコン４００ａ〜ｅ、４１０ａ〜ｅ、４２０ａ〜ｅそれぞれを関連付けて（重ねて）表示させるよう表示部１０１を制御する。
【００３９】
また、表示制御部９５は、選択受付部９１により、所定の機能アイコンの選択、及び該所定の機能アイコンに対するジェスチャーがピンチインを途中で停止すると共に停止状態で所定時間維持したジェスチャー（第２ジェスチャー）であることが認識された場合、機能リスト画面（選択画面）において、選択情報に基づいて、複数の機能アイコンのうち、最新の日時情報により特定される日時が、第２ジェスチャーで選択された第１選択機能アイコンにおける最新の日時情報により特定される日時以前である機能アイコンの全部又は一部に対応する選択情報又は情報アイコンの表示態様を変更させるよう表示部１０１を制御する。
【００４０】
本実施形態において、具体的には、表示制御部９５は、選択受付部９１により、所定の機能アイコンの選択、及び該所定の機能アイコンに対するジェスチャーがピンチインを途中で停止すると共に停止状態で所定時間維持したジェスチャー（第２ジェスチャー）であることが認識された場合、選択情報に基づいて、第２ジェスチャーで選択された第１選択機能アイコンである機能アイコン３２０ａ（図６参照）における最新の日時情報と、他の機能アイコンにおける最新の日時情報とをそれぞれ比較する。
続けて、表示制御部９５は、他の機能アイコンのうち、最新の日時情報により特定される日時が、第２ジェスチャーで選択された第１選択機能アイコンにおける最新の日時情報により特定される日時以前である機能アイコン３１０ｂ、３１０ｃ（図６参照）を認識する。
そして、表示制御部９５は、機能リスト画面（選択画面）において、認識された機能アイコン３１０ｂ、３１０ｃに対応する情報アイコン４１０ｂ、４１０ｃの表示態様を変更させるよう表示部１０１を制御する。
例えば、表示制御部９５は、機能リスト画面（選択画面）において、情報アイコン４１０ｂ、４１０ｃの色を変更させる（例えば、黒色→赤色に変更）よう表示部１０１を制御する。本実施形態においては、表示制御部９５は、機能リスト画面（選択画面）において、選択された機能アイコン３２０ａに対応する情報アイコン４２０ａの表示態様も変更させる。
【００４１】
ここで、表示制御部９５は、最新の日時情報により特定される日時が、第２ジェスチャーで選択された第１選択機能アイコンにおける最新の日時情報により特定される日時以前である機能アイコンに対応する情報アイコンの全てを表示変更させる必要はなく、例えば、一部だけ表示変更させるよう表示部１０１を制御してもよい。
【００４２】
表示制御部９５は、表示部１０１により選択情報又は情報アイコンの表示態様が変更された表示状態において、選択受付部９１により機能アイコンが選択された場合、機能リスト画面（選択画面）において、第１選択機能アイコン及び選択された機能アイコンである第２選択機能アイコンを削除するよう表示部１０１を制御可能に構成される。
本実施形態において、表示制御部９５は、表示部１０１により情報アイコン４１０ｂ、４１０ｃの表示態様が変更された表示状態において、選択受付部９１により機能アイコン３２０ａとは異なる機能アイコンが選択された場合、機能リスト画面（選択画面）において、機能アイコン３２０ａだけでなく、新たに選択された機能アイコンも削除するよう表示部１０１を制御する。
【００４３】
表示制御部９５は、機能アイコンを自動削除可能な自動削除モードを有する。
そして、表示制御部９５は、自動削除モードである場合、機能リスト画面（選択画面）において、表示態様が変更された選択情報又は情報アイコンに対応する機能アイコンを削除させるよう表示部を制御する。
【００４４】
また、表示制御部９５は、機能リスト画面（選択画面）において、１又は複数の機能アイコンを削除させるよう表示部１０１を制御した場合、削除されなかった機能アイコンの配置を自動的に変更するよう表示部１０１を制御する。
表示制御部９５は、機能リスト画面（選択画面）において、機能アイコン３１０ｂ、３１０ｃ、３２０ａを削除させるよう表示部１０１を制御した場合、削除されなかった機能アイコンを左側に移動させて配置を自動的に変更するよう表示部１０１を制御する。
【００４５】
ここで、表示制御部９５は、機能リスト画面（選択画面）において、１又は複数の機能アイコンを削除させるよう表示部１０１を制御した場合、機能リスト画面（選択画面）において、削除され非表示となった機能アイコンが存在することを示す非表示報知アイコン５００を表示させるよう表示部１０１を制御する（図７参照）。
ここで、表示制御部９５は、複数回にわたり、１又は複数の機能アイコンを削除させるよう表示部１０１を制御した場合、機能リスト画面（選択画面）において、複数の非表示報知アイコン５００を表示させるよう表示部１０１を制御する。表示制御部９５は、削除制御ごとに対応する非表示報知アイコン５００を表示させるよう表示部１０１を制御する。
【００４６】
また、表示制御部９５は、選択受付部９１により、非表示報知アイコン５００の選択が受け付けられた場合、機能リスト画面（選択画面）において、削除された機能アイコンを表示させるよう表示部１０１を制御する。表示制御部９５は、例えば、選択受付部９２により、フリックジェスチャーによる非表示報知アイコン５００の選択が受け付けられた場合、機能リスト画面（選択画面）において、削除された機能アイコンを表示させるよう表示部１０１を制御する。
表示制御部９５は、非表示報知アイコン５００が複数ある場合、選択受付部９１により選択が受け付けられた非表示報知アイコン５００に対応する機能アイコンを表示させるよう表示部１０１を制御する。
【００４７】
ここで、表示制御部９５は、削除された機能アイコンを再び表示させる場合、削除される前と同じ位置に表示させてもよく、機能アイコンが表示されていない領域（例えば、図７における右側の領域）に表示させてもよい。
【００４８】
本実施形態において、タッチパネル１００と、選択受付部９１と、表示制御部９５と、選択情報記憶部８１とは、表示装置を構成する。本実施形態における複合機１は、上記表示装置を備える画像形成装置である。
【００４９】
続けて、図４から図８により、本実施形態における複合機１の動作について説明する。図４は、複合機１の動作について説明するためのフローチャートである。図５は、タッチパネルに表示された選択画面を説明するための図である。図６は、タッチパネルに表示された選択画面であって、情報アイコンが表示された選択画面を説明するための図である。図７は、タッチパネルに表示された選択画面であって、所定の機能アイコンが削除された後の選択画面を説明するための図である。図８は、タッチパネルに表示された選択画面であって、所定の機能アイコンが削除された後の選択画面を説明するための図である。
【００５０】
まず、ユーザーは、タッチパネル１００に対して所定のジェスチャーを入力する。具体的には、ユーザーは、タッチパネル１００（表示部１０１）に表示された機能リスト画面４００に含まれる複数の機能アイコン３００ａ〜ｅ、３１０ａ〜ｅ、３２０ａ〜ｅのうち、機能アイコン３２０ａ（両画面印刷機能に対応したアイコン、第１選択機能アイコン）に対して、ジェスチャーを入力する。
これにより、ステップＳＴ１において、タッチパネル１００（タッチセンサー部１０２）は、第１選択アイコンである機能アイコン３２０ａ対するジェスチャーを検出する。タッチパネル１００（タッチセンサー部１０２）は、検出したジェスチャー情報を制御部９０（選択受付部９１）に出力する。
【００５１】
続けて、ステップＳＴ２において、制御部９０（選択受付部９１）は、ジェスチャーの態様を認識する。
制御部９０（選択受付部９１）は、ジェスチャーが第１ジェスチャーであると認識した場合（ステップＳＴ２、Ａ）、処理をステップＳＴ８に進め、機能リスト画面（選択画面）において、第１選択機能アイコンである機能アイコン３２０ａを削除するよう表示部１０１を制御する（図８参照）。そして、制御部９０（選択受付部９１）は、処理をステップＳＴ１２に進める。
【００５２】
また、制御部９０（選択受付部９１）は、ジェスチャーがその他のジェスチャー（例えば、タップ）であると認識した場合（ステップＳＴ２、Ｃ）、処理をステップＳＴ９に進め、機能アイコン３２０ａの選択を受け付ける。
続けて、ステップＳＴ１０において、制御部９０（選択受付部９１）は、選択情報（日時情報、回数情報（加算情報））を記憶部８０（選択情報記憶部８１）に出力する。記憶部８０（選択情報記憶部８１）は、受け付けた選択情報を機能アイコン３２０ａと関連付けて記憶する（蓄積する）。そして、複合機１（表示装置）は、表示制御処理を終了する。
【００５３】
また、制御部９０（選択受付部９１）は、ジェスチャーが第２ジェスチャーであると認識した場合（ステップＳＴ２、Ｂ）、処理をステップＳＴ３に進める。
【００５４】
続けて、ステップＳＴ３において、制御部９０（表示制御部９５）は、記憶部８０（選択情報記憶部８１）に記憶される複数の機能アイコンそれぞれにおける選択情報に基づいて、情報アイコンを機能アイコンの右上に重ねて表示させる（図６参照）。
【００５５】
続けて、ステップＳＴ４において、制御部９０（表示制御部９５）は、記憶部８０（選択情報記憶部８１）に記憶される複数の機能アイコンそれぞれにおける選択情報に基づいて、所定の機能アイコンに対応する情報アイコンの表示態様を変更する（図６参照）。
【００５６】
続けて、ステップＳＴ５において、制御部９０（表示制御部９５）は、自動削除モードに設定されているか否かを判定する。
制御部９０（表示制御部９５）は、自動削除モードに設定されていると判定した場合（ステップＳＴ５、ＹＥＳ）、処理をステップＳＴ１１に進める。
ステップＳＴ１１において、制御部９０（表示制御部９５）は、機能リスト画面（選択画面）において、第１選択機能アイコンである機能アイコン３２０ａ及び上述の所定の機能アイコン（表示変更された情報アイコンに対応する機能アイコン）を削除するよう表示部１０１を制御する。そして、制御部９０は、処理をステップＳＴ１２に進める。
【００５７】
制御部９０（表示制御部９５）は、自動削除モードに設定されていないと判定した場合（ステップＳＴ５、ＮＯ）、処理をステップＳＴ６に進める。
ステップＳＴ６において、制御部９０（選択受付部９１、表示制御部９５）は、情報アイコンが表示変更された状態（例えば、情報アイコン４１０ｂ、４１０ｃのみ赤色で表示された状態、図６参照）において、他の機能アイコンの選択を受け付けた場合、第１選択機能アイコンである機能アイコン３２０ａ、及び第２選択機能アイコンである選択された他の機能アイコンを削除するよう表示部１０１を制御する。例えば、ユーザーがタッチパネル１００に対して第２ジェスチャーを入力した状態で、他の機能アイコンを更に選択すると共に、第２ジェスチャーに続けて第１ジェスチャーを入力した場合、制御部９０（選択受付部９１、表示制御部９５）は、第１選択機能アイコン及び第２選択機能アイコンを削除するよう表示部１０１を制御する。
そして、制御部９０（選択受付部９１）は、処理をステップＳＴ１２に進める。
【００５８】
続けて、ステップＳＴ１２において、制御部９０（表示制御部９５）は、機能リスト画面（選択画面）において、機能アイコンが削除された領域を埋めるよう他の機能アイコンを移動させるよう表示部１０１を制御する（図７参照）。また、制御部９０（表示制御部９５）は、機能リスト画面（選択画面）において、削除され非表示になった機能アイコンが存在することを示す非表示報知アイコン５００を表示させるよう表示部１０１を制御する（図７参照）。
そして、複合機１（表示装置）は、表示制御処理を終了する。
【００５９】
ここで、制御部９０（選択受付部９１、表示制御部９５）は、非表示報知アイコン５００の選択を受け付けた場合、機能リスト画面（選択画面）において、削除した機能アイコンを再び表示するよう表示部１０１を制御するよう構成される。例えば、タッチパネル１００（表示部１０１）に機能リスト画面４００Ｂが表示された状態において、ユーザーが非表示報知アイコン５００を指定した後に連続して図７における黒いガイド線に沿うようにフリックジェスチャーを入力すると、制御部９０（選択受付部９１、表示制御部９５）は、削除した機能アイコンを再び表示するよう表示部１０１を制御する（例えば、図７の機能リスト画面４００Ｂ→図５の機能リスト画面４００）。
【００６０】
本実施形態における表示装置は、接触物（ユーザーの指、タッチペン１１０）によるジェスチャーを受け付け可能なタッチパネル１００であって、各機能に関連付けられた複数の機能アイコンが表示された機能リスト画面（選択画面）を表示可能な表示面１０１ａを有する表示部１０１と、表示面１０１ａ側に配置され、接触物における接触位置及び／又は接触領域を含むジェスチャー情報を検出すると共に、検出したジェスチャー情報を出力するタッチセンサー部１０２とを有するタッチパネル１００と、タッチパネル１００により出力されたジェスチャー情報に基づいて、複数の機能アイコンうち所定の機能アイコンの選択を受け付ける選択受付部９１と、複数の機能アイコンそれぞれについて、選択受付部９１により選択が受け付けられた日時及び／又は回数の情報である選択情報を記憶する選択情報記憶部８１と、選択画面において、選択情報記憶部８１に記憶された選択情報に基づいて、複数の機能アイコンそれぞれについて、選択情報又は前記選択情報の内容を示す情報アイコンを関連付けて表示させるよう表示部１０１を制御する表示制御部９５と、を備える。
【００６１】
本実施形態の表示装置は、複数の機能アイコンごとに、最新の選択日時の情報及び／又は所定期間内における選択回数（頻度）の情報の内容を示す情報アイコンを関連付けて表示させるよう表示部１０１を制御する。これにより、表示装置は、ユーザーに対して機能リスト画面（選択画面）から削除して非表示にする機能アイコンを選択するために有用な情報を好適に提供可能に構成される。
【００６２】
また、表示制御部は、選択情報又は前記情報アイコンを、対応する機能アイコンの一部に重ねて表示させる。これにより、表示装置は、複数の機能アイコンそれぞれ対応する選択情報の内容を好適に表示可能に構成される。また、表示装置は、機能リスト画面（選択画面）において、機能アイコンの表示位置を移動させることなく、対応する情報アイコンを表示することができる。これにより、表示装置は、ユーザーにおける使用性を低下させることなく、機能アイコンごとに、対応する選択情報の内容を表示させることが可能に構成される。
【００６３】
また、表示装置において、選択受付部９１は、ジェスチャー情報に基づいてジェスチャーの態様（パターン、速度）を認識可能であると共に、第１ジェスチャーと、第２ジェスチャーとを認識可能に構成される。
そして、表示制御部９５は、選択受付部９１により、所定の機能アイコンの選択、及び該所定の機能アイコンに対するジェスチャーが第１ジェスチャーであることが認識された場合、選択画面において、該所定の機能アイコンを削除するよう表示部１０１を制御する。
また、表示制御部９５は、選択受付部９１により、所定の機能アイコンの選択、及び該所定の機能アイコンに対するジェスチャーが第２ジェスチャーであることが認識された場合、選択画面において、選択情報記憶部８１に記憶された選択情報に基づいて、複数の機能アイコンそれぞれについて、選択情報又は前記選択情報の内容を示す情報アイコンを関連付けて表示させるよう表示部を制御する。
【００６４】
これにより、表示装置は、ジェスチャーの種類によって、表示制御の内容を変更可能に構成される。
また、第１ジェスチャーがピンチイン、第２ジェスチャーがピンチインを途中で停止すると共に、停止状態で所定時間維持したジェスチャーである場合、表示装置は、ユーザーが入力操作の途中で表示制御の内容を選択できるよう構成される。
【００６５】
また、表示装置において利用される選択情報は、複数の機能アイコンそれぞれにおける最新の選択日時の情報である。これにより、表示装置は、ユーザーに好適な選択情報を表示可能に構成される。
【００６６】
また、表示制御部９５は、選択受付部９１により、所定の機能アイコンの選択と、該所定の機能アイコンに対するジェスチャーが前記第２ジェスチャーであることが認識された場合、機能リスト画面（選択画面）において、選択情報に基づいて、複数の機能アイコンのうち、最新の日時情報により特定される日時が、第２ジェスチャーで選択された第１選択機能アイコンにおける最新の日時情報により特定される日時以前である機能アイコンの全部又は一部に対応する選択情報又は情報アイコンの表示態様を変更させるよう表示部１０１を制御する。
これにより、表示装置は、ユーザーに選択情報をより好適に表示可能に構成される。
【００６７】
表示制御部９５は、表示部１０１により選択情報又は情報アイコンの表示態様が変更された表示状態において、選択受付部９１により機能アイコンが選択された場合、機能リスト画面（選択画面）において、第１選択機能アイコン及び選択された機能アイコンである第２選択機能アイコンを削除するよう表示部１０１を制御可能に構成される。
これにより、表示装置は、ユーザーが好適に表示された情報アイコンを見ながら、削除すべき他の機能アイコンを選択可能に構成される。
【００６８】
表示制御部９５は、機能アイコンを自動削除可能な自動削除モードを有する。そして、表示制御部９５は、自動削除モードである場合、機能リスト画面（選択画面）において、表示態様が変更された選択情報又は情報アイコンに対応する機能アイコンを削除させるよう表示部１０１を制御する。
これにより、表示装置は、削除する機能アイコンとして、ユーザーが削除する蓋然性の高い機能アイコンを自動的に選択するよう構成される。
【００６９】
表示制御部９５は、機能リスト画面（選択画面）において、１又は複数の機能アイコンを削除させるよう表示部１０１を制御した場合、削除されなかった機能アイコンの配置を自動的に変更するよう表示部１０１を制御する。
これにより、表示装置は、機能リスト画面（選択画面）において、機能アイコンが削除された領域が空き領域として点在し、操作性が低下することを抑制可能に構成される。
【００７０】
表示制御部９５は、機能リスト画面（選択画面）において、１又は複数の機能アイコンを削除させるよう表示部１０１を制御した場合、機能リスト画面（選択画面）において、削除され非表示となった機能アイコンが存在することを示す非表示報知アイコン５００を表示させるよう表示部１０１を制御する。
これにより、表示装置は、機能リスト画面（選択画面）において、削除され非表示になった機能アイコンがあることをユーザーが認識可能に構成される。
【００７１】
表示制御部９５は、複数回にわたり、１又は複数の機能アイコンを削除させるよう表示部１０１を制御した場合、機能リスト画面（選択画面）において、複数の非表示報知アイコン５００を表示させるよう表示部１０１を制御する。
これにより、表示装置は、機能リスト画面（選択画面）において、削除処理が複数回なされた場合、削除され非表示になった機能アイコンがあること及び複数回削除処理があったことをユーザーが認識可能に構成される。
【００７２】
表示制御部９５は、選択受付部９１により、非表示報知アイコン５００の選択が受け付けられた場合、機能リスト画面（選択画面）において、削除された機能アイコンを表示させるよう表示部１０１を制御する。
これにより、表示装置は、非表示報知アイコンの選択が受け付けられた場合、機能リスト画面（選択画面）において、削除して非表示にした機能アイコンを元に戻すことが可能に構成される。
【００７３】
また、本実施形態における複合機１（画像形成装置）は、上述の表示装置を備えるので、上述した効果と同様の効果を奏する。
【００７４】
なお、本発明は、上述した実施形態に限定されることはなく、種々の形態で実施することができる。
また、本発明の画像形成装置は、上述した複合機１に限定されることはない。すなわち、本発明の画像形成装置は、コピー機能、ファクシミリ機能、プリンター機能及びスキャナー機能を備える複合機だけでなく、ファクシミリ、コピー機、プリンターであってもよい。
【００７５】
また、本実施形態の複合機１は、中間転写ベルト４８を介して用紙Ｔにトナー画像を転写している（間接転写方式）が、この形態に限定されることはなく、感光体ドラムに形成されたトナー画像を直接に用紙Ｔに転写してもよい（直接転写方式）。
【００７６】
また、本実施形態の複合機１は、用紙Ｔの片面を印刷する構成であるが、これに限定されることはなく、用紙の両面を印刷する構成であってもよい。
また、本発明の画像形成装置によってトナー画像が定着される被転写材は用紙Ｔに限定されることはなく、例えば、ＯＨＰ（オーバーヘッドプロジェクター）シート等のフィルムシートであってもよい。
【００７７】
また、上述の開示により、表示装置による表示制御方法も開示されている。
すなわち、接触物によるジェスチャーを受け付け可能なタッチパネルであって、各機能に関連付けられた複数の機能アイコンが表示された選択画面を表示可能な表示面を有する表示部と、前記表示面側に配置され、前記接触物における接触位置及び／又は接触領域を含むジェスチャー情報を検出すると共に、検出したジェスチャー情報を出力するタッチセンサー部と、を有するタッチパネルを備える表示装置における表示制御方法であって、表示装置が、前記タッチパネルにより出力されたジェスチャー情報に基づいて、前記複数の機能アイコンうち所定の機能アイコンの選択を受け付ける選択受付工程と、表示装置が、前記複数の機能アイコンそれぞれについて、前記選択受付工程において選択が受け付けられた日時及び／又は回数の情報である選択情報を記憶する選択情報記憶工程と、表示装置が、前記選択画面において、前記選択情報記憶工程において記憶された前記選択情報に基づいて、前記複数の機能アイコンそれぞれについて、前記選択情報又は前記選択情報の内容を示す情報アイコンを関連付けて表示させるよう前記表示部を制御する表示制御工程と、を含む表示制御方法が開示されている。
ここで、上記表示制御方法は、所定のプログラムによって実施されてもよい。
本発明は、上記表示制御方法を実施するためのプログラムを含む。
また、当該プログラムは、コンピューター及びコンピューターを備える表示装置（画像形成装置）によって読み出し可能に所定の記憶媒体に記憶されてもよい。
【符号の説明】
【００７８】
１…複合機（画像形成装置）、１０…原稿搬送部、２０…原稿読取部、３０…用紙搬送部、４０…画像形成部、５０…転写部、６０…定着部、７０…操作部、８０…記憶部、８１…選択情報記憶部、９０…制御部、９１…選択受付部、９５…表示制御部、１００…タッチパネル、１０１…表示部、１０２…タッチセンサー、３００ａ〜ｅ…機能アイコン、３１０ａ〜ｅ…機能アイコン、３２０ａ〜ｅ…機能アイコン、４００…機能リスト画面（選択画面）、４００ａ〜ｅ…情報アイコン、４１０ａ〜ｅ…情報アイコン、４２０ａ〜ｅ…情報アイコン、５００…非表示報知アイコン
【図１】
2015158920.tif 000003
【図２】
2015158920.tif 000004
【図３】
2015158920.tif 000005
【図４】
2015158920.tif 000006
【図５】
2015158920.tif 000007
【図６】
2015158920.tif 000008
【図７】
2015158920.tif 000009
【図８】
2015158920.tif 000010